【手続補正書】
【提出日】令和2年7月15日(2020.7.15)
【手続補正１】
【補正対象書類名】特許請求の範囲
【補正対象項目名】全文
【補正方法】変更
【補正の内容】
【特許請求の範囲】
【請求項１】
ウェアラブルデバイスのためのロケーション決定の方法であって、前記方法は、
モバイル局が、前記ウェアラブルデバイスからロケーションセッションを開始することを求める要求を受信することと、前記モバイル局は、前記ウェアラブルデバイスとワイヤレスにリンクされている、
前記モバイル局が、前記モバイル局についてのロケーションフィックスが前記ウェアラブルデバイスについてのロケーションフィックスとして使用されないことがありうると決定することと、
前記モバイル局が、ロケーションサーバとの前記ウェアラブルデバイスのための前記ロケーションセッションを開始することと、ここにおいて、前記ウェアラブルデバイスのための前記ロケーションセッションは、前記決定に基づいて前記ウェアラブルデバイスからの位置情報を使用する、
ここにおいて、前記モバイル局が、前記モバイル局についての前記ロケーションフィックスが前記ウェアラブルデバイスについての前記ロケーションフィックスとして使用されないことがありうると決定することは、前記ウェアラブルデバイスがワイヤレスパーソナルエリアネットワーク（ＷＰＡＮ）を通じて前記モバイル局に直接ワイヤレスにリンクされていないと決定することを備える、または、
ここにおいて、前記モバイル局が、前記モバイル局についての前記ロケーションフィックスが前記ウェアラブルデバイスについての前記ロケーションフィックスとして使用されないことがありうると決定することは、前記ウェアラブルデバイスがワイヤレスローカルエリアネットワーク（ＷＬＡＮ）ネットワーク中の同じアクセスポイントを通じて前記モバイル局にワイヤレスにリンクされていないと決定することを備える、または、
ここにおいて、前記モバイル局が、前記モバイル局についての前記ロケーションフィックスが前記ウェアラブルデバイスについての前記ロケーションフィックスとして使用されないことがありうると決定することは、前記モバイル局が前記ウェアラブルデバイスのユーザと一緒ではないと決定するために前記モバイル局中のセンサを使用することを備える、および、
ここにおいて、前記モバイル局が前記ウェアラブルデバイスの前記ユーザと一緒ではないと決定するために前記モバイル局中の前記センサを使用することは、前記モバイル局が前記ユーザによって持たれていないと決定するために動きセンサを使用すること、または前記モバイル局が前記ウェアラブルデバイスと同じ環境中にないと決定するためにカメラセンサを使用することを備える、
を備える、方法。
【請求項２】
前記モバイル局が、前記ウェアラブルデバイスから位置情報を受信することと、
前記モバイル局が、前記ウェアラブルデバイスからの前記位置情報を前記ロケーションサーバに送信することと
をさらに備える、請求項１に記載の方法。
【請求項３】
前記ウェアラブルデバイスからの前記位置情報は、ワイヤレスパーソナルエリアネットワーク（ＷＰＡＮ）データ、ワイヤレスローカルエリアネットワーク（ＷＬＡＮ）データ、ワイヤレスワイドエリアネットワーク（ＷＷＡＮ）データ、衛星測位システム（ＳＰＳ）データ、センサデータ、位置フィックスまたはそれらの組み合わせをさらに備える、請求項２に記載の方法。
【請求項４】
前記位置情報は、アクセスポイント、ルータ、ブリッジ、フェムトセル、Ｂｌｕｅｔｏｏｔｈ送信機、ピコセル、スモールセル、無線周波数識別（ＲＦＩＤ）、可視光通信（ＶＬＣ）、基地局、またはそれらの組み合わせのうちの１つまたは複数からの受信信号強度インジケータ（ＲＳＳＩ）またはラウンドトリップ時間（ＲＴＴ）測定値のうちの少なくとも１つを備える、請求項３に記載の方法。
【請求項５】
前記方法は、前記ロケーションセッションから前記モバイル局をドロップし、前記ウェアラブルデバイスに前記ロケーションセッション中に前記ロケーションサーバと直接ワイヤレスに通信させることをさらに備える、請求項１に記載の方法。
【請求項６】
前記ウェアラブルデバイスからの前記ロケーションセッションを開始することを求める前記要求は、前記ウェアラブルデバイスからの緊急呼を備える、請求項１に記載の方法。
【請求項７】
ウェアラブルデバイスのロケーション決定のためのモバイル局であって、前記モバイル局は、
ロケーションサーバとのワイヤレス通信が可能であるワイヤレストランシーバと、
前記ワイヤレストランシーバに結合された少なくとも１つのプロセッサと、前記少なくとも１つのプロセッサは、前記モバイル局とワイヤレスにリンクされている前記ウェアラブルデバイスからロケーションセッションを開始することを求める要求を受信することと、前記モバイル局についてのロケーションフィックスが前記ウェアラブルデバイスについてのロケーションフィックスとして使用されないことがありうると決定することと、前記ワイヤレストランシーバを通じて前記ロケーションサーバとの前記ウェアラブルデバイスのための前記ロケーションセッションを開始することとを行うように構成され、ここにおいて、前記ウェアラブルデバイスのための前記ロケーションセッションは、前記決定に基づいて前記ウェアラブルデバイスからの位置情報を使用する、
前記モバイル局を直接前記ウェアラブルデバイスとワイヤレスにリンクすることが可能であるワイヤレスパーソナルエリアネットワーク（ＷＰＡＮ）トランシーバと、
ここにおいて、前記少なくとも１つのプロセッサは、前記ＷＰＡＮトランシーバにさらに結合され、および前記モバイル局が前記ＷＰＡＮトランシーバを通じて前記ウェアラブルデバイスにワイヤレスにリンクされていないと決定するように構成されることによって、前記モバイル局についての前記ロケーションフィックスが前記ウェアラブルデバイスについての前記ロケーションフィックスとして使用されないことがありうると決定するようにさらに構成される、または、
ワイヤレスローカルエリアネットワーク（ＷＬＡＮ）ネットワークにワイヤレスにリンクすることが可能であるＷＬＡＮトランシーバと、
ここにおいて、前記少なくとも１つのプロセッサは、前記ＷＬＡＮトランシーバにさらに結合され、および前記モバイル局が前記ＷＬＡＮネットワーク中の同じアクセスポイントを通じて前記ウェアラブルデバイスにワイヤレスにリンクされていないと決定するように構成されることによって、前記モバイル局についての前記ロケーションフィックスが前記ウェアラブルデバイスについての前記ロケーションフィックスとして使用されないことがありうると決定するようにさらに構成される、または、
動きセンサとカメラセンサとのうちの少なくとも１つと、
ここにおいて、前記少なくとも１つのプロセッサは、前記動きセンサと前記カメラセンサとのうちの前記少なくとも１つからデータを受信するようにさらに結合され、および前記動きセンサからの前記データに基づいて前記モバイル局がユーザによって持たれていない、または前記カメラセンサからの前記データに基づいて前記モバイル局が前記ウェアラブルデバイスと同じ環境中にないと決定するように構成されることによって、前記モバイル局についての前記ロケーションフィックスが前記ウェアラブルデバイスについての前記ロケーションフィックスとして使用されないことがありうると決定するようにさらに構成される、
を備える、モバイル局。
【請求項８】
ワイヤレスローカルエリアネットワーク（ＷＬＡＮ）トランシーバをさらに備え、前記ウェアラブルデバイスは、前記ＷＬＡＮトランシーバを通じて前記モバイル局とワイヤレスにリンクされており、
ここにおいて、前記少なくとも１つのプロセッサは、前記ＷＬＡＮトランシーバにさらに結合され、および前記ＷＬＡＮトランシーバを通じて前記ウェアラブルデバイスから位置情報を受信することと、前記ワイヤレストランシーバに、前記ウェアラブルデバイスからの前記位置情報を前記ロケーションサーバに送信することを行わせることとを行うようにさらに構成される、請求項７に記載のモバイル局。
【請求項９】
前記ウェアラブルデバイスからの前記位置情報は、ワイヤレスパーソナルエリアネットワーク（ＷＰＡＮ）データ、ワイヤレスローカルエリアネットワーク（ＷＬＡＮ）データ、ワイヤレスワイドエリアネットワーク（ＷＷＡＮ）データ、衛星測位システム（ＳＰＳ）データ、センサデータ、位置フィックスまたはそれらの組み合わせを備える、請求項８に記載のモバイル局。
【請求項１０】
前記位置情報は、アクセスポイント、ルータ、ブリッジ、フェムトセル、Ｂｌｕｅｔｏｏｔｈ送信機、ピコセル、スモールセル、無線周波数識別（ＲＦＩＤ）、および可視光通信（ＶＬＣ）、基地局、またはそれらの組み合わせのうちの１つまたは複数からの受信信号強度インジケータ（ＲＳＳＩ）またはラウンドトリップ時間（ＲＴＴ）測定値のうちの少なくとも１つを備える、請求項９に記載のモバイル局。
【請求項１１】
前記少なくとも１つのプロセッサは、前記ワイヤレストランシーバに、前記ロケーションセッションから前記モバイル局をドロップし、前記ウェアラブルデバイスに前記ロケーションセッション中に前記ロケーションサーバと直接ワイヤレスに通信させることを行わせるようにさらに構成される、請求項７に記載のモバイル局。
【請求項１２】
前記ウェアラブルデバイスからの前記ロケーションセッションを開始することを求める前記要求は、前記ウェアラブルデバイスからの緊急呼を備える、請求項７に記載のモバイル局。
【請求項１３】
ウェアラブルデバイスのロケーション決定のための非一時的コンピュータ可読媒体であって、前記非一時的コンピュータ可読媒体は、そこに記憶されたプログラムコードを含み、請求項１−６の方法のステップのいずれかを実行するための命令を備える、非一時的コンピュータ可読媒体。
【手続補正２】
【補正対象書類名】明細書
【補正対象項目名】００５４
【補正方法】変更
【補正の内容】
【００５４】
[0061]モバイル局１１０はさらに、ロケーションセッションからモバイル局をドロップし、ウェアラブルデバイスに、例えば、ＷＬＡＮまたはＷＷＡＮネットワークを通じて、ロケーションセッション中にロケーションサーバと直接ワイヤレスに通信させるための手段を含みえ、それは、例えば、ロケーションセッションパスオフユニット７８８を含みうる。
【手続補正３】
【補正対象書類名】明細書
【補正対象項目名】００６８
【補正方法】変更
【補正の内容】
【００６８】
[0075]したがって、特許請求される主題は、開示されている特定の例に限定されないが、そのような特許請求される主題はまた、添付された特許請求の範囲内に含まれる全ての態様およびそれらの同等物を含みうることが意図される。
以下に本願の出願当初の特許請求の範囲に記載された発明を付記する。
［Ｃ１］
ウェアラブルデバイスのためのロケーション決定の方法であって、前記方法は、
モバイル局が、前記ウェアラブルデバイスからロケーションセッションを開始することを求める要求を受信することと、前記モバイル局は、前記ウェアラブルデバイスとワイヤレスにリンクされている、
前記モバイル局が、前記モバイル局についてのロケーションフィックスが前記ウェアラブルデバイスについてのロケーションフィックスとして使用されないことがありうると決定することと、
前記モバイル局が、ロケーションサーバとの前記ウェアラブルデバイスのための前記ロケーションセッションを開始することと、ここにおいて、前記ウェアラブルデバイスのための前記ロケーションセッションは、前記モバイル局からの位置情報を使用しない、
を備える、方法。
［Ｃ２］
前記モバイル局が、前記ウェアラブルデバイスから位置情報を受信することと、
前記モバイル局が、前記ウェアラブルデバイスからの前記位置情報を前記ロケーションサーバに送信することと
をさらに備える、Ｃ１に記載の方法。
［Ｃ３］
前記ウェアラブルデバイスからの前記位置情報は、ワイヤレスパーソナルエリアネットワーク（ＷＰＡＮ）データ、ワイヤレスローカルエリアネットワーク（ＷＬＡＮ）データ、ワイヤレスワイドエリアネットワーク（ＷＷＡＮ）データ、衛星測位システム（ＳＰＳ）データ、センサデータ、位置フィックスまたはそれらの組み合わせを備える、Ｃ２に記載の方法。
［Ｃ４］
前記位置情報は、アクセスポイント、ルータ、ブリッジ、フェムトセル、Ｂｌｕｅｔｏｏｔｈ送信機、ピコセル、スモールセル、無線周波数識別（ＲＦＩＤ）、可視光通信（ＶＬＣ）、基地局、またはそれらの組み合わせのうちの１つまたは複数からの受信信号強度インジケータ（ＲＳＳＩ）またはラウンドトリップ時間（ＲＴＴ）測定値のうちの少なくとも１つを備える、Ｃ３に記載の方法。
［Ｃ５］
前記方法は、前記ロケーションセッションから前記モバイル局をドロップし、前記ウェアラブルデバイスに前記ロケーションセッション中に前記ロケーションサーバと直接ワイヤレスに通信させることをさらに備える、Ｃ１に記載の方法。
［Ｃ６］
前記モバイル局が、前記モバイル局についての前記ロケーションフィックスが前記ウェアラブルデバイスについての前記ロケーションフィックスとして使用されないことがありうると決定することは、前記ウェアラブルデバイスがワイヤレスパーソナルエリアネットワーク（ＷＰＡＮ）を通じて前記モバイル局に直接ワイヤレスにリンクされていないと決定することを備える、Ｃ１に記載の方法。
［Ｃ７］
前記モバイル局が、前記モバイル局についての前記ロケーションフィックスが前記ウェアラブルデバイスについての前記ロケーションフィックスとして使用されないことがありうると決定することは、前記ウェアラブルデバイスがワイヤレスローカルエリアネットワーク（ＷＬＡＮ）ネットワーク中の同じアクセスポイントを通じて前記モバイル局にワイヤレスにリンクされていないと決定することを備える、Ｃ１に記載の方法。
［Ｃ８］
前記モバイル局が、前記モバイル局についての前記ロケーションフィックスが前記ウェアラブルデバイスについての前記ロケーションフィックスとして使用されないことがありうると決定することは、前記モバイル局が前記ウェアラブルデバイスのユーザと一緒ではないと決定するために前記モバイル局中のセンサを使用することを備える、Ｃ１に記載の方法。
［Ｃ９］
前記モバイル局が前記ウェアラブルデバイスの前記ユーザと一緒ではないと決定するために前記モバイル局中の前記センサを使用することは、前記モバイル局が前記ユーザによって持たれていないと決定するために動きセンサを使用すること、または前記モバイル局が前記ウェアラブルデバイスと同じ環境中にないと決定するためにカメラセンサを使用することを備える、Ｃ８に記載の方法。
［Ｃ１０］
前記ウェアラブルデバイスからの前記ロケーションセッションを開始することを求める前記要求は、前記ウェアラブルデバイスからの緊急呼を備える、Ｃ１に記載の方法。
［Ｃ１１］
ウェアラブルデバイスのロケーション決定のためのモバイル局であって、前記モバイル局は、
ロケーションサーバとのワイヤレス通信が可能であるワイヤレストランシーバと、
前記ワイヤレストランシーバに結合された少なくとも１つのプロセッサと
を備え、前記少なくとも１つのプロセッサは、前記モバイル局とワイヤレスにリンクされている前記ウェアラブルデバイスからロケーションセッションを開始することを求める要求を受信することと、前記モバイル局についてのロケーションフィックスが前記ウェアラブルデバイスについてのロケーションフィックスとして使用されないことがありうると決定することと、前記ワイヤレストランシーバを通じて前記ロケーションサーバとの前記ウェアラブルデバイスのための前記ロケーションセッションを開始することとを行うように構成され、前記ウェアラブルデバイスのための前記ロケーションセッションは、前記モバイル局からの位置情報を使用しない、モバイル局。
［Ｃ１２］
ワイヤレスローカルエリアネットワーク（ＷＬＡＮ）トランシーバをさらに備え、前記ウェアラブルデバイスは、前記ＷＬＡＮトランシーバを通じて前記モバイル局とワイヤレスにリンクされており、
前記少なくとも１つのプロセッサは、前記ＷＬＡＮトランシーバにさらに結合され、および前記ＷＬＡＮトランシーバを通じて前記ウェアラブルデバイスから位置情報を受信することと、前記ワイヤレストランシーバに、前記ウェアラブルデバイスからの前記位置情報を前記ロケーションサーバに送信することを行わせることとを行うようにさらに構成される、Ｃ１１に記載のモバイル局。
［Ｃ１３］
前記ウェアラブルデバイスからの前記位置情報は、ワイヤレスパーソナルエリアネットワーク（ＷＰＡＮ）データ、ワイヤレスローカルエリアネットワーク（ＷＬＡＮ）データ、ワイヤレスワイドエリアネットワーク（ＷＷＡＮ）データ、衛星測位システム（ＳＰＳ）データ、センサデータ、位置フィックスまたはそれらの組み合わせを備える、Ｃ１２に記載のモバイル局。
［Ｃ１４］
前記位置情報は、アクセスポイント、ルータ、ブリッジ、フェムトセル、Ｂｌｕｅｔｏｏｔｈ送信機、ピコセル、スモールセル、無線周波数識別（ＲＦＩＤ）、および可視光通信（ＶＬＣ）、基地局、またはそれらの組み合わせのうちの１つまたは複数からの受信信号強度インジケータ（ＲＳＳＩ）またはラウンドトリップ時間（ＲＴＴ）測定値のうちの少なくとも１つを備える、Ｃ１３に記載のモバイル局。
［Ｃ１５］
前記少なくとも１つのプロセッサは、前記ワイヤレストランシーバに、前記ロケーションセッションから前記モバイル局をドロップし、前記ウェアラブルデバイスに前記ロケーションセッション中に前記ロケーションサーバと直接ワイヤレスに通信させることを行わせるようにさらに構成される、Ｃ１１に記載のモバイル局。
［Ｃ１６］
前記モバイル局を直接前記ウェアラブルデバイスとワイヤレスにリンクすることが可能であるワイヤレスパーソナルエリアネットワーク（ＷＰＡＮ）トランシーバをさらに備え、
前記少なくとも１つのプロセッサは、前記ＷＰＡＮトランシーバにさらに結合され、および前記モバイル局が前記ＷＰＡＮトランシーバを通じて前記ウェアラブルデバイスにワイヤレスにリンクされていないと決定するように構成されることによって、前記モバイル局についての前記ロケーションフィックスが前記ウェアラブルデバイスについての前記ロケーションフィックスとして使用されないことがありうると決定するようにさらに構成される、Ｃ１１に記載のモバイル局。
［Ｃ１７］
ワイヤレスローカルエリアネットワーク（ＷＬＡＮ）ネットワークにワイヤレスにリンクすることが可能であるＷＬＡＮトランシーバをさらに備え、
前記少なくとも１つのプロセッサは、前記ＷＬＡＮトランシーバにさらに結合され、および前記モバイル局が前記ＷＬＡＮネットワーク中の同じアクセスポイントを通じて前記ウェアラブルデバイスにワイヤレスにリンクされていないと決定するように構成されることによって、前記モバイル局についての前記ロケーションフィックスが前記ウェアラブルデバイスについての前記ロケーションフィックスとして使用されないことがありうると決定するようにさらに構成される、Ｃ１１に記載のモバイル局。
［Ｃ１８］
動きセンサとカメラセンサとのうちの少なくとも１つをさらに備え、
前記少なくとも１つのプロセッサは、前記動きセンサと前記カメラセンサとのうちの前記少なくとも１つからデータを受信するようにさらに結合され、および前記動きセンサからの前記データに基づいて前記モバイル局がユーザによって持たれていない、または前記カメラセンサからの前記データに基づいて前記モバイル局が前記ウェアラブルデバイスと同じ環境中にないと決定するように構成されることによって、前記モバイル局についての前記ロケーションフィックスが前記ウェアラブルデバイスについての前記ロケーションフィックスとして使用されないことがありうると決定するようにさらに構成される、Ｃ１１に記載のモバイル局。
［Ｃ１９］
前記ウェアラブルデバイスからの前記ロケーションセッションを開始することを求める前記要求は、前記ウェアラブルデバイスからの緊急呼を備える、Ｃ１１に記載のモバイル局。
［Ｃ２０］
ウェアラブルデバイスのロケーション決定のためのモバイル局であって、前記モバイル局は、
前記モバイル局が、前記ウェアラブルデバイスからロケーションセッションを開始することを求める要求を受信するための手段と、前記モバイル局は、前記ウェアラブルデバイスとワイヤレスにリンクされている、
前記モバイル局が、前記モバイル局についてのロケーションフィックスが前記ウェアラブルデバイスについてのロケーションフィックスとして使用されないことがありうると決定するための手段と、
前記モバイル局が、ロケーションサーバとの前記ウェアラブルデバイスのための前記ロケーションセッションを開始するための手段と、ここにおいて、前記ウェアラブルデバイスのための前記ロケーションセッションは、前記モバイル局からの位置情報を使用しない、
を備える、モバイル局。
［Ｃ２１］
前記モバイル局が、前記ウェアラブルデバイスから位置情報を受信するための手段と、
前記モバイル局が、前記ウェアラブルデバイスからの前記位置情報を前記ロケーションサーバに送信するための手段と
をさらに備える、Ｃ２０に記載のモバイル局。
［Ｃ２２］
前記ロケーションセッションから前記モバイル局をドロップし、前記ウェアラブルデバイスに前記ロケーションセッション中に前記ロケーションサーバと直接ワイヤレスに通信させるための手段をさらに備える、Ｃ２０に記載のモバイル局。
［Ｃ２３］
前記モバイル局についての前記ロケーションフィックスが前記ウェアラブルデバイスについての前記ロケーションフィックスとして使用されないことがありうると前記決定するための手段は、前記ウェアラブルデバイスがワイヤレスパーソナルエリアネットワーク（ＷＰＡＮ）を通じて前記モバイル局に直接ワイヤレスにリンクされていないと決定するための手段を備える、Ｃ２０に記載のモバイル局。
［Ｃ２４］
前記モバイル局についての前記ロケーションフィックスが前記ウェアラブルデバイスについての前記ロケーションフィックスとして使用されないことがありうると前記決定するための手段は、前記ウェアラブルデバイスがＷＬＡＮ（ワイヤレスローカルエリアネットワーク）ネットワーク中の同じアクセスポイントを通じて前記モバイル局にワイヤレスにリンクされていないと決定するための手段を備える、Ｃ２０に記載のモバイル局。
［Ｃ２５］
ウェアラブルデバイスのロケーション決定のための非一時的コンピュータ可読媒体であって、前記非一時的コンピュータ可読媒体は、そこに記憶されたプログラムコードを含み、
モバイル局が、前記ウェアラブルデバイスからロケーションセッションを開始することを求める要求を受信するためのプログラムコードと、前記モバイル局は、前記ウェアラブルデバイスとワイヤレスにリンクされている、
前記モバイル局が、前記モバイル局についてのロケーションフィックスが前記ウェアラブルデバイスについてのロケーションフィックスとして使用されないことがありうると決定するためのプログラムコードと、
前記モバイル局が、ロケーションサーバとの前記ウェアラブルデバイスのための前記ロケーションセッションを開始するためのプログラムコードと、ここにおいて、前記ウェアラブルデバイスのための前記ロケーションセッションは、前記モバイル局からの位置情報を使用しない、
を備える、非一時的コンピュータ可読媒体。
［Ｃ２６］
前記モバイル局が、前記ウェアラブルデバイスから位置情報を受信するためのプログラムコードと、
前記モバイル局が、前記ウェアラブルデバイスからの前記位置情報を前記ロケーションサーバに送信するためのプログラムコードと
をさらに備える、Ｃ２５に記載の非一時的コンピュータ可読媒体。
［Ｃ２７］
前記ロケーションセッションから前記モバイル局をドロップし、前記ウェアラブルデバイスに前記ロケーションセッション中に前記ロケーションサーバと直接ワイヤレスに通信させるためのプログラムコードをさらに備える、Ｃ２５に記載の非一時的コンピュータ可読媒体。
［Ｃ２８］
前記モバイル局が、前記モバイル局についての前記ロケーションフィックスが前記ウェアラブルデバイスについての前記ロケーションフィックスとして使用されないことがありうると決定するための前記プログラムコードは、前記ウェアラブルデバイスがワイヤレスパーソナルエリアネットワーク（ＷＰＡＮ）を通じて前記モバイル局に直接ワイヤレスにリンクされていないと決定するためのプログラムコードを備える、Ｃ２５に記載の非一時的コンピュータ可読媒体。
［Ｃ２９］
前記モバイル局が、前記モバイル局についての前記ロケーションフィックスが前記ウェアラブルデバイスについての前記ロケーションフィックスとして使用されないことがありうると決定するための前記プログラムコードは、前記ウェアラブルデバイスがＷＬＡＮ（ワイヤレスローカルエリアネットワーク）ネットワーク中の同じアクセスポイントを通じて前記モバイル局にワイヤレスにリンクされていないと決定するためのプログラムコードを備える、Ｃ２５に記載の非一時的コンピュータ可読媒体。